(57)【要約】【課題】本発明は、光を透過させながら画素の虚像をクリアに現出させることができる装飾表示体を提供することを目的とする。【解決手段】  フィルム状、シート状または板状の透明素材１０の表面１０ａ側に、複数の凸レンズ状の集光素１１ａを各集光素１１ａの並びに方向性を持たせて２次元的に配列して集光素パターン１１が形成されるとともに、透明素材１０の裏面１０ｂ側に、複数の画素２１ａを各画素２１ａの並びに方向性を持たせて２次元的に配列して画素パターン２１が形成されることにより、画素２１ａの虚像Ｋを透明素材１０の上方または下方に現出させる装飾表示体である。集光素パターン１１は、各集光素１１ａが平面視六角形状に形成され、各集光素１１ａの隣り合うもの同士の辺が対向状態となるように配列している。【選択図】図５
2020093390.tif 000002
【特許請求の範囲】
【請求項１】
フィルム状、シート状または板状の透明素材の表面側に、複数の凸レンズ状の集光素を各集光素の並びに方向性を持たせて２次元的に配列して集光素パターンが形成されるとともに、前記透明素材の裏面側に、複数の画素を各画素の並びに方向性を持たせて２次元的に配列して画素パターンが形成されることにより、前記画素の虚像を前記透明素材の上方または下方に現出させる装飾表示体であって、
前記集光素パターンは、各集光素が平面視六角形状に形成され、各集光素の隣り合うもの同士の辺が対向状態となるように配列していることを特徴とする装飾表示体。
【請求項２】
前記画素パターンは、前記透明素材の裏面側に画像により形成される請求項１に記載の装飾表示体。
【請求項３】
前記集光素パターンは、前記集光素１個当たりの画素数が５以上となるように形成されている請求項１または請求項２に記載の装飾表示体。
【請求項４】
前記集光素パターンは、前記集光素１個当たりの画素数が１０以上となるように形成されている請求項３に記載の装飾表示体。
【請求項５】
前記集光素パターンは、画素密度４００〜６００ｐｐiの前記画素パターンに対して、前記集光素の１インチ当たりの線数が４０〜６０となるように形成されている請求項２に記載の装飾表示体。
【請求項６】
前記集光素パターンは、画素密度６５０〜８００ｐｐiの前記画素パターンに対して、前記集光素の１インチ当たりの線数が６０〜８０となるように形成されている請求項２に記載の装飾表示体。
【請求項７】
前記集光素パターンは、画素密度１２００〜１６００ｐｐiの画素パターンに対して、集光素の１インチ当たりの線数が１００〜１４０となるように形成されている請求項２に記載の装飾表示体。
【請求項８】
前記集光素パターンは、各集光素の配列ピッチが０．１４５ｍｍ以上、各集光素の配列間隔が０．０１０ｍｍ以上となるように形成されている請求項１から請求項７のいずれかに記載の装飾表示体。
【請求項９】
前記集光素パターンは、各集光素の配列ピッチが０．１８０ｍｍ以上、各集光素の配列間隔が０．０１５ｍｍ以上となるように形成されている請求項１から請求項７のいずれかに記載の装飾表示体。
【請求項１０】
前記集光素パターンは、各集光素の配列ピッチが０．３１８ｍｍ以上、各集光素の配列間隔が０．０６０ｍｍ以上となるように形成されている請求項１または請求項７のいずれかに記載の装飾表示体。
【請求項１１】
前記集光素パターンは、各集光素の配列ピッチが１．２５ｍｍ以下、各集光素の配列間隔が０．１００ｍｍ以下となるように形成されている請求項１から請求項７のいずれかに記載の装飾表示体。
【請求項１２】
前記集光素パターンは、各集光素の高さが０．０１０ｍｍ以下となるように形成されている請求項１から請求項１１のいずれかに記載の装飾表示体。
【請求項１３】
請求項１から請求項１２のいずれかに記載の装飾表示体に用いられる装飾シートであって、
フィルム状、シート状または板状の透明素材の表面側に、複数の凸レンズ状の集光素を各集光素の並びに方向性を持たせて２次元的に配列して集光素パターンが形成され、
前記集光素パターンは、各集光素が平面視六角形状に形成され、各集光素の隣り合うもの同士の辺が対向状態となるように配列していることを特徴とする装飾シート。
【発明の詳細な説明】
【技術分野】
【０００１】
本発明は、名刺、フォトフレーム、遊技機やゲーム機の外装パネル、包装箱、広告体、飾り品、ディスプレイ装置、タブレット端末、スマートフォン、携帯電話、各種構造体の立体装飾に適用される装飾表示体に関するものである。
【背景技術】
【０００２】
従来より、名刺、フォトフレーム、遊技機やゲーム機の外装パネル、包装箱、広告体、飾り品、ディスプレイ装置、タブレット端末、スマートフォン、携帯電話、各種構造体の立体装飾として、集光素により画素の虚像を各種商品の表面から上方又は下方に現出させる装飾表示体を適用することが知られており、例えば下記特許文献１〜特許文献５に開示されている。
【０００３】
これらに開示される装飾表示体は、フィルム状、シート状または板状の透明素材の表面に、複数の凸レンズ状の集光素を各集光素の並びに方向性を持たせて所定の配列ピッチで２次元的に配列して集光素パターンが形成されるとともに、上記透明素材の裏面に、着色された複数の画素を各画素の並びに集光素パターンと同じ方向性を持たせて各集光素の配列ピッチと異なる配列ピッチで２次元的に配列して画素パターンが形成されており、これにより画素パターンによる立体的な画素の虚像が透明素材の上方又は下方に現出するというものである。
【０００４】
そして、最近では、プロジェクタやディスプレイなどにより透明素材の裏面側に画素パターンの画像を形成し、画素の虚像を映像的に現出するものが知られている（特許文献６参照）。また、透明素材の裏面側に画素パターンを通常どおり印刷により形成し、さらに投光器等により透明素材に光を照射することにより、画素の虚像を明るい状態で現出するものも知られている。
【先行技術文献】
【特許文献】
【０００５】
【特許文献１】特許第４９０７０４９号公報
【特許文献２】特許第３４８８１７９号公報
【特許文献３】特開２００８−０１２８７０号公報
【特許文献４】特開２００３−２２６１００号公報
【特許文献５】特開２００３−２２６０９９号公報
【特許文献６】特開２０１４−０２４２８７号公報
【発明の概要】
【発明が解決しようとする課題】
【０００６】
しかしながら、従来の装飾表示体は、プロジェクタ、ディスプレイあるいは投光器等の光が各集光素の間から透明素材を直線的に透過することにより光のノイズとなって、ギラギラとしたまぶしい状態となるため、画素の虚像をクリアに現出させにくいという問題があった。
【０００７】
もとより、集光素同士を密着させながら集光素パターンを構成することも考えられるが、それだと各集光素同士の密着によって集光素の輪郭が潰れてしまい、画素の虚像を現出させることができなくなる虞があった。また、安価で大量生産に適したスクリーン印刷を利用して集光素を形成する場合、集光素を形成しない部分をレジストと呼ばれる保護膜で保護し、印刷をしたあとに保護膜を剥離することで、集光素を形成する部分のみを印刷するため、集光素と集光素の間には保護膜に対応した隙間が必然的に形成され、集光素同士を密着させることは技術的に不可能であった。
【０００８】
本発明は、上述の問題に鑑みてなされたものであり、光を透過させながら画素の虚像をクリアに現出させることができる装飾表示体を提供することを目的とする。
【課題を解決するための手段】
【０００９】
本発明は、上記目的を達成するために、フィルム状、シート状または板状の透明素材の表面側に、複数の凸レンズ状の集光素を各集光素の並びに方向性を持たせて２次元的に配列して集光素パターンが形成されるとともに、前記透明素材の裏面側に、複数の画素を各画素の並びに方向性を持たせて２次元的に配列して画素パターンが形成されることにより、前記画素の虚像を前記透明素材の上方または下方に現出させる装飾表示体であって、前記集光素パターンは、各集光素が平面視六角形状に形成され、各集光素の隣り合うもの同士の辺が対向状態となるように配列していることを特徴とする。なお、本発明における集光素の六角形状とは、頂点が角張っており、かつ辺が直線の完全な六角形状のみならず、頂点が丸みを帯びた六角形状や、辺が緩やかに湾曲した六角形状も含むものである。
【００１０】
これによれば、各集光素の間のスペースを狭くし得るため、各集光素の間を通過する光の量が減少させることができ、光のノイズが少ない安定した状態で画素の虚像をクリアに現出させることが可能となる。また、集光素を平面視六角形状に形成するという簡易な構成であるため、製造コストを抑えることができる。
【００１１】
また、前記画素パターンは、前記透明素材の裏面側に画像により形成されてもよい。
【００１２】
また、前記集光素パターンは、集光素１個当たりの画素数が５以上、さらには集光素１個当たりの画素数が１０以上となるように形成されているのが好ましい。
【００１３】
また、前記集光素パターンは、画素密度４００〜６００ｐｐiの画素パターンに対して、集光素の１インチ当たりの線数が４０〜６０、好ましくは画素密度６００〜８００ｐｐiの画素パターンに対して、集光素の１インチ当たりの線数が６０〜８０、さらに好ましくは画素密度１２００〜１６００ｐｐiの画素パターンに対して、集光素の１インチ当たりの線数が１００〜１４０となるように形成されているのがよい。
【００１４】
また、前記集光素パターンは、各集光素の配列ピッチが０．１４５ｍｍ以上であって、かつ各集光素の配列間隔が０．０１０ｍｍ以上、好ましくは各集光素の配列ピッチが０．１８０ｍｍ以上であって、かつ各集光素の配列間隔が０．０１５ｍｍ以上、さらに好ましく各集光素の配列ピッチが０．３１８ｍｍ以上であって、かつ各集光素の配列間隔が０．０６０ｍｍ以上であるのがよい。
【００１５】
また、各集光素の配列ピッチが１．２５ｍｍ以下であって、かつ各集光素の配列間隔が０．１００ｍｍ以下となるように形成されているとなるように形成されているのが好ましい。
【００１６】
前記集光素パターンは、各集光素の高さが０．０１０ｍｍ以下となるように形成されているのが好ましい。
【００１７】
また、本発明に係る装飾シートは、上記装飾表示体に用いられる装飾シートであって、フィルム状、シート状または板状の透明素材の表面側に、複数の凸レンズ状の集光素を各集光素の並びに方向性を持たせて２次元的に配列して集光素パターンが形成され、前記集光素パターンは、各集光素が平面視六角形状に形成され、各集光素の隣り合うもの同士の辺が対向状態となるように配列していることを特徴とする。これによれば装飾シートを例えば情報端末の表示部に重ね合わせることにより、情報端末の表示部に形成された画素パターンに係る画素の虚像をクリアに現出させることができる。
【発明の効果】
【００１８】
本発明によれば、各集光素の間のスペースを狭くし得るため、各集光素の間を通過する光の量が減少させることができ、光のノイズが少ない安定した状態で画素の虚像をクリアに現出させることが可能となる。また、集光素を平面視六角形状に形成するという簡易な構成であるため、製造コストを抑えることができる。
【図面の簡単な説明】
【００１９】
【図１】本発明に係る装飾表示体の装飾シートの（ａ）正面図、（ｂ）側面図である。
【図２】図１の装飾シートの（ａ）平面図、（ｂ）底面図である。
【図３】図１の装飾シートの（ａ）Ａ−Ｂ部拡大平面図、（ｂ）Ｃ−Ｃ部拡大正面図、（ｃ）Ｄ−Ｄ部拡大側面図である。
【図４】画素パターンが表示された情報端末の表示部の平面図である。
【図５】装飾シートを情報端末の表示部に重ね合わせる状態を示す斜視図である。
【図６】集光素パターンと画素パターンの関係を示す（ａ）拡大断面図、（ｂ）拡大平面図である。
【図７】画素の虚像が現出している状態を示す断面図である。
【図８】本発明の実施例に係る装飾表示体の（ａ）装飾シートを重ねる前の平面図、（ｂ）装飾シートを重ねたあとの平面図である。
【発明を実施するための形態】
【００２０】
次に、本発明に係る装飾表示体の実施形態について図１〜図７を参照しつつ説明する。
【００２１】
本実施形態に係る装飾表示体は、タブレット端末、スマートフォン、携帯電話などの立体装飾に適用されるものである。
【００２２】
この装飾表示体は、図１および図２に示すように、アクリル押出板やアクリルキャスト板のようなアクリル板等の透明素材１０の表面１０ａに集光素パターン１１が形成された装飾シート１を備え、図４および図５に示すように、透明素材１０の裏面１０ｂ側にはタブレット端末、スマートフォン、携帯電話などの情報端末２の表示部２１（ディスプレイ）において画像により画素パターン２１が形成される。
【００２３】
前記透明素材１０は、図２に示すように、平面視において矩形状に形成されたフィルム状、シート状または板状の部材である。この透明素材１０は、商品形態に合わせて図示略の大きな透明素材を格子状に裁断して形成されたものである。なお、本実施形態では、透明素材１０の厚みは２．０ｍｍ以下である。
【００２４】
前記集光素パターン１１は、図１および図２に示すように、紫外線硬化樹脂等のような無色透明のインキを用いた印刷によって、集光素１１ａを各集光素１１ａの並びに方向性を持たせて２次元的に配列して形成されたものである。
【００２５】
各集光素１１ａは、図３に示すように、無色透明の平面視六角形状に形成されるともに、側面視が凸レンズ状に形成されている。また、各集光素１１ａは、図６に示すように、隣り合うもの同士の辺が対向状態となるように互いに６０度の配列方向で一定の配列ピッチｐおよび配列間隔ｒで配列している。
【００２６】
このように各集光素１１ａが平面視六角形状に形成され、各集光素１１ａの隣り合うもの同士の辺が対向状態となるように配列されることによって、各集光素１１ａの間のスペースを狭くすることができる。つまり、従来の集光素は、平面視円形状に形成されていたため、各集光素の配列方向に隣り合うもの同士の配列間隔ｒを小さくしても、どうしても各集光素の間に大きなスペースが生じていた。しかしながら、本願発明の集光素１１ａは、平面視六角形状に形成されているため、各集光素１１ａの配列方向に隣り合うもの同士の配列間隔ｒを小さくすると、それに応じて各集光素１１ａの間のスペースＳも狭くすることができる。
【００２７】
なお、各集光素１１ａの配列ピッチｐは、後述の画素２１ａの虚像Ｋをクリアに現出させるため、下限値が０．１４５ｍｍ以上、好ましくは０．１８０ｍｍ以上、さらに好ましくは０．３１８ｍｍ以上であって、上限値が１．２５ｍｍ以下であるのがよい。また、各集光素１１ａの配列間隔ｒは、下限値が０．０１０ｍｍ以上、好ましくは０．０１５ｍｍ以上、さらに好ましくは０．０６０ｍｍ以上であって、上限値が０．１００ｍｍ以下であるのがよい。また、各集光素１１ａの高さは、上限値が０．０１０ｍｍ以下であるのがよい。
【００２８】
前記画素パターン２１は、図４に示すように、情報端末２の表示部２０において画像により画素２１ａを各画素２１ａの並びに方向性を持たせて２次元的に配列して形成されたものである。
【００２９】
各画素２１ａは、有色の平面視円形状に形成されている。また、各画素２１ａは、隣り合うもの同士が互いに６０度の配列方向であって、集光素１１ａの配列ピッチｐよりも小さい一定の配列ピッチｑで配列している。
【００３０】
而して、図５に示すように、装飾シート１を情報端末２の表示部２０に重ね合わせて、装飾シート１の集光素パターン１１の方向性と情報端末３の画素パターン２１の方向性を一致させる。このとき、各画素２１ａの配列ピッチｑは、各集光素１１ａの配列ピッチｐよりも小さく設定されているため、図６に示すように、集光素パターン１１と画素パターン２１において、平面視では複数個おきに集光素１１ａと画素２１ａが完全に重なる部分と、その周囲の画素２１ａが集光素１１ａから順次内側に位置ずれする部分とが繰り生じる。このように、画素２１ａの配列ピッチｑが集光素１１ａの配列ピッチｐより小さく設定されている場合、図７に示すように、画素２１ａの拡大した虚像Ｋが画素パターン２１が形成された透明素材１０の下方（裏面側）に現出する。
【００３１】
そして、本願発明によれば、上述のように集光素１１ａが平面視六角形状に形成されていることから、各集光素１１ａの間のスペースＳを狭くし得るため、情報端末２の表示部２０から各集光素１１ａの間を通過する光を量が減少させることができ、光のノイズが少ない安定した状態で画素２１ａの虚像Ｋをクリアに現出させることが可能となる。また、集光素１１ａを平面視六角形状に形成するという簡易な構成であるため、製造コストを抑えることができる。
【００３２】
なお、本実施形態では、画素２１ａを平面視円形状としたが、三角状、矩形状、星形状など、所望の装飾に応じて任意の形状に形成してもよい。
【００３３】
また、画素２１ａの配列ピッチｑを集光素１１ａの配列ピッチｐよりも小さくなるように設定したが、大きくなるように設定してもよい。この場合、画素２１ａの拡大虚像Ｋは画素パターン２１が形成された透明素材１０の上方（表面側）に現出する。
【００３４】
また、集光素パターン１１と画素パターン２１の関係については、画素１１ａの虚像Ｋをクリアに現出させるため、集光素１１ａの１個当たりの画素数が５以上、さらに好ましくは１０以上となるように形成されるのが好ましい。
【００３５】
また、画素パターン２１の画素密度が４００〜６００ｐｐiである場合（通常の解像度）、集光素１１ａの１インチ当たりの線数が４０〜６０となるように集光素パターン１１が形成されるのが好ましい。画素パターン２１の画素密度が６５０〜８００ｐｐiである場合（いわゆる４Ｋと呼ばれる解像度）、集光素１１ａの１インチ当たりの線数が６０〜８０となるように集光素パターン１１が形成されるのが好ましい。また、画素パターン２１の画素密度が２１００〜１６００ｐｐi（いわゆる８Ｋと呼ばれる解像度）である場合、集光素１１ａの１インチ当たりの線数が１００〜１４０となるように集光素パターン１１が形成されるのが好ましい。
【００３６】
また、タブレット端末、スマートフォン、携帯電話などの情報端末２の立体装飾に適用したが、名刺、フォトフレーム、遊技機やゲーム機の外装パネル、包装箱、広告体、飾り品の立体装飾に適用してもよい。この場合、透明素材１０の裏面１０ｂにおいて、複数の画素２１ａを直接印刷することにより画素パターン２１を形成し、透明素材１０の裏面１０ｂ側から光を当てるとよい。
【００３７】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【実施例】
【００３８】
次に本発明に係る装飾表示体の実施例について説明する。
本実施例では、以下の設計値の透明素材、集光素パターンおよび画素パターンを用いた。
【００３９】
＜透明素材＞
材質：ポリエステル
大きさ：縦６５ｍｍ、横１３５ｍｍ、厚み０．０５ｍｍ
【００４０】
＜集光素パターン＞
集光素の配列ピッチ：０．６３５ｍｍ
集光素の配列間隔：０．０６０ｍｍ
集光素の高さ：０．０５０ｍｍ
集光素の１インチ当たりの線数：４０（ＬＰＩ）
集光素の配列方向：６０度
【００４１】
＜画素パターン＞
画素の形状：三角形
画素の配列ピッチ：０．６６８ｍｍ
画素の配列間隔：０．１５０ｍｍ
画素密度：４０ｐｐｉ
【００４２】
而して、図８（ａ）に示すように、情報端末の表示部に形成された上記設計値の画素パターンを準備したあと、上記透明素材に上記集光素パターンが形成された装飾シートを重ね合わせると、図８（ｂ）に示すように画素の虚像を透明素材の裏面側の下方にクリアに現出させることができる。
【符号の説明】
【００４３】
１・・・装飾シート
１０・・・透明素材
１０ａ・・・表面
１０ｂ・・・裏面
１１・・・集光素パターン
１１ａ・・・集光素
２・・・情報端末
２０・・・表示部
２１・・・画素パターン
２１ａ・・・画素
【図１】
2020093390.tif 000003
【図２】
2020093390.tif 000004
【図３】
2020093390.tif 000005
【図４】
2020093390.tif 000006
【図５】
2020093390.tif 000007
【図６】
2020093390.tif 000008
【図７】
2020093390.tif 000009
【図８】
2020093390.tif 000010